(57)【要約】      （修正有）【課題】小型で堅牢な構造で、ペット等の小動物の首からぶら下げられ、キーホルダーや携帯ストラップとしても利用できる、芳香剤を収納可能な容器を提供する。【解決手段】円柱状の塊を筒状になるよう内部を削り取ることで、側面に壁を形成し、底面には底を形成し、底面と対称となる開口部の外周部を削り取り挿入口を形成し、開口部外に複数の孔５を設けて本体１とし、本体より短い円柱状の金属を、筒状になるよう挿入口の外径より若干長く内部を削り取り、開口部の対称となる面に天面を形成して蓋２とし、本体及び蓋には、吊り下げ用のベルト３を回動可能に取付ける。【選択図】図５
0003151936.tif 000002
【実用新案登録請求の範囲】
【請求項１】
円柱状の塊を筒状になるよう内部を削り取ることで、側面に壁を形成し、底面には底を形成し、底面と対称となる開口部の外周部を削り取り挿入口６を形成し、開口部外に複数の孔を設けて本体１とし、本体１より短い円柱状の金属を、筒状になるよう挿入口６の外径より若干長く内部を削り取り、開口部の対称となる面に天面を形成して蓋２とし、本体１及び蓋２には、吊り下げ用のベルト３を回動可能に取付けたことを特徴とする芳香剤容器。
【請求項２】
吊り下げ用のベルト３の代わりに紐又は鎖を、蓋２のみに取付けたことを特徴とする、請求項１に記載の芳香剤容器。
【考案の詳細な説明】
【技術分野】
【０００１】
本考案は、芳香剤を収納する容器に関する。
【背景技術】
【０００２】
近年、匂いに関する関心が高まり、家や部屋の中の芳香やトイレの消臭等様々な製品が市場で流通している。更にリラクシング効果を目的とした、アロマやハーブ等においても様々な製品が流通している。社会生活の中でも匂いに敏感に反応することも多く、それぞれの視点で、様々な対応をするようになってきている。
【０００３】
特に小動物等をペットとして飼うことも増えてきており、ペットから発する匂いに対して敏感に反応することもあると考えられ、これに対処する製品を望む潜在的需要があるものと考えられる。動物のみならず、人間社会においても、エチケットやマナーの観点から、匂いに対して、簡易的に対処できる製品を望む需要があることも考えられる。
例えば、実開平５−４８９４４号において、芳香容器について記載されているが、芳香剤の効果を継続的に持続させるための技術であり、本考案の携帯可能で小動物等にも取付け可能な容器とは技術的に相違する。
【先行技術文献】
【特許文献】
【０００４】
【特許文献１】実開平５−４８９４４号（図１、３頁）
【考案の概要】
【考案が解決しようとする課題】
【０００５】
解決しようとする課題は、小型で堅牢な構造でありながら、ペット等の小動物の首からぶら下げられ、キーホルダーや携帯ストラップとしても利用できる、芳香剤を収納可能な容器を提供することにある。
【課題を解決するための手段】
【０００６】
本考案の芳香剤容器は、円柱状の塊を筒状になるよう内部を削り取ることで、側面に壁を形成し、底面には底を形成し、底面と対称となる開口部の外周部を削り取り挿入口を形成し、開口部外に複数の孔を設けて本体とし、本体より短い円柱状の金属を、筒状になるよう挿入口の外径より若干長く内部を削り取り、開口部の対称となる面に天面を形成して蓋とし、本体及び蓋には、吊り下げ用のベルトを回動可能に取付けたことを特徴とする。
【考案の効果】
【０００７】
本考案の芳香剤用器に芳香剤を投入し、本体のベルト部にペット等の小動物の首輪を通し、首にぶら下げて利用することで、小動物の臭いを緩和し、お好みの香りを放出させることができる。
【０００８】
携帯電話用のストラップ又はキーホルダー用に構成した本考案の芳香剤容器に芳香剤を投入し、紐又は鎖の部分を携帯電話、鞄又は手持ち小物等にぶら下げて利用することで、臭いの緩和やお好みの香りを楽しむことができる。。
【図面の簡単な説明】
【０００９】
【図１】本考案の一例の正面図
【図２】本考案の一例の底面図
【図３】本考案の一例の平面図
【図４】本考案の一例の側面図
【図５】本考案の一例の斜視図
【図６】携帯ストラップ等に使用する場合の一例の正面図
【考案を実施するための形態】
【００１０】
本考案の詳細について、図面を引用して説明する。
【実施例１】
【００１１】
直径２０ｍｍ程度の円柱状の塊を７０ｍｍ程度の長さで切断し、筒状になるよう内部を削り取り、側面は数ｍｍ程度の厚みを残し壁を形成し、底面は数ｍｍの厚みを残し底を形成する。底面と対称となる開口部は蓋を被せるために、外周部を数ｍｍ削り取り挿入口６を形成し、底面から蓋の高さ程度の位置に、２本の溝を入れ蓋があるようなデザインとし、底面の陵及び開口部の陵を削り、Ｃ面加工することで本体１を構成する。その後、本体の中央部付近に、１ｍｍ程度の複数の孔５を開け、芳香剤の放出孔とする。切削には金のこぎり又は電動金のこぎり、円柱状の金属の削り取り及び孔開けには電動ドリル、Ｃ面加工には旋盤等を用いる。円柱状の塊は、金属が望ましく、金属の中でもチタン、真鍮、ステンレスがのぞましい。金属の代わりに樹脂や木材等でもよい。
【００１２】
次に、直径２０ｍｍ程度の円柱状の塊を１５ｍｍ程度の長さで切断し、筒状になるよう内部を削り取り、本体１の挿入口６と勘合するように内径を挿入口６の外形より若干長く形成し、開口部と対称となる面には数ｍｍの厚みを残し天面を形成する。開口部の端部から数ｍｍの位置へ１本の溝を入れ、開口部の陵を削り、Ｃ面加工することで蓋２を構成する。円柱状の塊は、金属が望ましく、金属の中でもチタン、真鍮、ステンレスがのぞましい。金属の代わりに樹脂や木材等でもよい。
【００１３】
本体１及び蓋２には、吊り下げ用のベルト３を留め具４にて、回動可能に取付ける。
留め具には、リベット等を用い、ベルト側及び蓋２の内側の端面を拡げ固定する。ベルト材は金属が望ましいが、皮、樹脂等を用いてもよい。本体１と蓋２の勘合は、一部に凹凸を設けて勘合させる、又はネジ山とタップを形成して締めてもよい。図１は本考案の一例の正面図、図２は本考案の一例の底面図、図３は本考案の一例の平面図、図４は本考案の一例の側面図、図５は本考案の一例の斜視図である。
【００１４】
本体１及び蓋２の表面を鏡面仕上げとしたり、サテン仕上げとしたり、模様等のデザインを施し高級感を持たせてもよい。
【００１５】
本体内部に、例えば固形状又はジェル状の芳香剤を適量投入し蓋を閉める。ベルト部にペット等の小動物の首輪を通し、首にぶら下げて利用することで、小動物の臭いを緩和し、お好みの香りを放出させることができる。首輪の代わりとなる輪を、紐、ベルト、鎖等で形成し小動物の首から吊り下げてもよい。
【実施例２】
【００１６】
本考案の構造を用いて、大きさを小さめにし、ベルトの代わりに紐又は鎖等を用いて、携帯電話用のストラップ又はキーホルダーとして利用してもよい。この場合、芳香剤の放出孔は開けても、開けなくてもよい。図６は携帯ストラップ等に使用する場合の一例の正面図である。
【００１７】
本体内部に、例えば固形状又はジェル状の芳香剤を適量投入し蓋を閉める。紐又は鎖の部分を携帯電話、鞄又は手持ち小物等にぶら下げて利用することで、臭いの緩和やお好みの香りを楽しむことができる。
【産業上の利用可能性】
【００１８】
本考案の芳香剤容器は工業生産が可能であり、供給者による製造、販売が可能である。
【符号の説明】
【００１９】
１  本体
２  蓋
３  吊り下げ用ベルト
４  留め具
５  放出孔
６  挿入口
【図１】
0003151936.tif 000003
【図２】
0003151936.tif 000004
【図３】
0003151936.tif 000005
【図４】
0003151936.tif 000006
【図５】
0003151936.tif 000007
【図６】
0003151936.tif 000008